(57)【要約】【課題】  データセンターの空調に壁吹出し方式を採用し、冷却風のラック内への導入と、ラックからの排出を確実に行って、空調効率を向上させる。【解決手段】  隣接したラック列２０の供給面２０ａ同士が臨むコールドアイルＣＡに、壁吹き出し方式の空調機４から供給された冷却風Ａｃをラック２内に導く供給案内板６ａをラック２の扉体２ａに設ける。ラック列２０の上方に空調機４の吸込口に連通する戻り冷却風用送風路５を配し、ホットアイルＨＡに臨む扉体２ｂにラック２内を冷却した戻り冷却風Ａｈを該送風路５に案内する排出案内板７ａを設ける。ホットアイルＨＡにホットアイルカーテン８を設け、排出面２０ｂから排出される戻り冷却風Ａｈの、対向しているラック列２０のラック２内への侵入を防止することが好ましい。供給案内板６ａは空調機４からの距離に応じて幅を変更し、捕捉できる冷却風Ａｃの風量を均等にすることが好ましい。【選択図】        図１
2020087080.tif 000002
【特許請求の範囲】
【請求項１】
情報処理機器が収容されているラックを並列させてラック列が構成され、複数個のラック列が適宜な間隔を設けて配されて、隣接するラック列との間で、コールドアイルとホットアイルとが交互に形成され、前記コールドアイルに向けて前記情報処理機器の冷却に供する冷却風を吹出口から吹き出し、情報処理機器の冷却に供されてホットアイルに排出された戻り冷却風を吸込口から吸い込む空調機を備えたデータセンターの空調の効率化構造において、
コールドアイルに臨んだそれぞれのラックの供給面に沿って流れる冷却風を捕捉して、ラック内へ案内する冷却風供給案内手段を備えていることを特徴とするデータセンターの空調の効率化構造。
【請求項２】
前記冷却風供給案内手段は、それぞれのラックの供給面に設置された供給面側扉体の端部であって、冷却風の流れ方向の下流側となる側の端部に取り付けられた供給案内板からなることを特徴とする請求項１に記載のデータセンターの空調の効率化構造。
【請求項３】
前記供給案内板は、冷却風の流れ方向と交差する方向を軸として揺動自在に支持されていることを特徴とする請求項２に記載のデータセンターの空調の効率化構造。
【請求項４】
前記供給案内板のラックの供給面側扉体からの突出量を、前記空調機からの距離に応じて異ならせてあることを特徴する請求項２または請求項３に記載のデータセンターの空調の効率化構造。
【請求項５】
情報処理機器が収容されているラックを並列させてラック列が構成され、複数個のラック列が適宜な間隔を設けて配されて、隣接するラック列との間で、コールドアイルとホットアイルとが交互に形成され、前記コールドアイルに向けて前記情報処理機器の冷却に供する冷却風を吹出口から吹き出し、情報処理機器の冷却に供されてホットアイルに排出された戻り冷却風を吸込口から吸い込む空調機を備えたデータセンターの空調の効率化構造において、
前記戻り冷却風を、前記空調機の吸込口に連通した戻り冷却風用送風路に案内する戻り冷却風排出案内手段を備えていることを特徴とするデータセンターの空調の効率化構造。
【請求項６】
前記戻り冷却風用送風路をラックの上方に配し、
前記戻り冷却風排出案内手段は、ラックに収容されたそれぞれの情報処理機器に対応させて、ラックの前記供給面に対向した排出面に設置された排出面側扉体に取り付けられた排出案内板からなることを特徴とする請求項５に記載のデータセンターの空調の効率化構造。
【請求項７】
前記排出案内板がラックの内部に配されていることを特徴とする請求項６に記載のデータセンターの空調の効率化構造。
【請求項８】
前記排出案内板がラックの外部に配されていることを特徴とする請求項６に記載のデータセンターの空調の効率化構造。
【請求項９】
情報処理機器が収容されているラックを並列させてラック列が構成され、複数個のラック列が適宜な間隔を設けて配されて、隣接するラック列との間で、コールドアイルとホットアイルとが交互に形成され、前記コールドアイルに向けて前記情報処理機器の冷却に供する冷却風を吹出口から吹き出し、情報処理機器の冷却に供されてホットアイルに排出された戻り冷却風を吸込口から吸い込む空調機を備えたデータセンターの空調の効率化構造において、
コールドアイルに臨んだそれぞれのラックの供給面に沿って流れる冷却風を捕捉して、ラック内へ案内する冷却風供給案内手段と、
前記戻り冷却風を、前記空調機の吸込口に連通した戻り冷却風用送風路に案内する戻り冷却風排出案内手段とを、
備えていることを特徴とするデータセンターの空調の効率化構造。
【請求項１０】
前記冷却風供給案内手段は、それぞれのラックの供給面に設置された供給面側扉体の端部であって、冷却風の流れ方向の下流側となる側の端部に取り付けられた供給案内板からなることを特徴とする請求項９に記載のデータセンターの空調の効率化構造。
【請求項１１】
前記供給案内板は、冷却風の流れ方向と交差する方向を軸として揺動自在に支持されていることを特徴とする請求項１０に記載のデータセンターの空調の効率化構造。
【請求項１２】
前記供給案内板のラックの供給面側扉体からの突出量を、前記空調機からの距離に応じて異ならせてあることを特徴する請求項１０または請求項１１に記載のデータセンターの空調の効率化構造。
【請求項１３】
前記戻り冷却風用送風路をラックの上方に配し、
前記戻り冷却風排出案内手段は、ラックに収容されたそれぞれの情報処理機器に対応させて、ラックの前記供給面に対向した排出面に設置された排出面側扉体に取り付けられた排出案内板からなることを特徴とする請求項９から請求項１２までのいずれかに記載のデータセンターの空調の効率化構造。
【請求項１４】
前記排出案内板がラックの内部に配されていることを特徴とする請求項１３に記載のデータセンターの空調の効率化構造。
【請求項１５】
前記排出案内板がラックの外部に配されていることを特徴とする請求項１３に記載のデータセンターの空調の効率化構造。
【請求項１６】
前記ホットアイルを臨んで対向したラックの排出面の間の中央部にラック列に沿ってホットアイルカーテンを設置して、対向した排出面から排出される戻り冷却風を該ホットアイルカーテンで前記戻り冷却風用送風路に案内することを特徴とする請求項５から請求項１５までのいずれかに記載のデータセンターの空調の効率化構造。
【発明の詳細な説明】
【技術分野】
【０００１】
この発明は、情報通信機器その他各種の情報処理機器が収容された多数のラックが設置されているデータセンターの空調の効率化構造に関する。
【背景技術】
【０００２】
インターネット用サーバやネットワーク機器等の情報通信機器やその他の各種の情報処理機器が設置され、これらの運用を担うデータセンターでは、これらの情報処理機器が収容された多数のラックが縦横に整列されて配置されている。
データセンターにおいては、地震や火災等の災害時にも運用に支障が生じないように対策が施される。また、セキュリティにも十分な対策を講じられている。
さらに、これら情報処理機器は稼働時の発熱量が大きく、温度が高くなると処理能力が低下し、誤作動や故障の原因となる。このため、これら情報処理機器を効率よく冷却する必要がある。しかも、ラックに収容されている全ての情報機器を等しく冷却する必要がある。すなわち、データセンターにあっては、空調管理も重要な対策課題であり、効率のよい空調システムが望まれている。
【０００３】
ところで、データセンターには、情報通信機器の通信回線用の光ファイバーやケーブル等が大量に配されている。これらのケーブル等は床を二重構造としたフリーアクセスフロアの床下空間に収容されて、所望の情報処理機器まで引き込まれている。
【０００４】
一方、情報処理機器に接続されたケーブル等が通されている床の二重構造を利用して、情報処理機器の冷却のための冷却風を、空調機からこの床下空間に供給し、床下空間を通して床面に配された吹き出し口から冷却すべきラックが設置されている空調空間に供給する床吹き出し空調方式が採用されている。
しかし、床下空間には、前述のように大量のケーブル等が配されており、冷却風の流れにとって大きな抵抗となって、流れが不規則となってしまうおそれがある。
【０００５】
特許文献１には、床下空間の断面等の流路の条件を変更できるようにして冷気の乱れを調整し、効率よく室内温度を調整できるようにする室内温度調整方法とこの方法に用いられる補助板が提案されている。この室内温度調整方法は、フリーアクセスフロアの床板の下面に補助板を取り付けて、床下の冷気の流路断面を変更しようとするものである。
【０００６】
また、特許文献２には、空調に要する電力の消費量を削減できるダクト及びデータセンターが提案されている。このダクトは、エアー供給源から供給されるエアーが通流する流路が設けられたダクト本体と、前記ダクト本体に設けられた開口部と、前記開口部の辺に沿って設けられ、前記エアー供給源側が開放された風向板とを有するとされたものである。
【先行技術文献】
【特許文献】
【０００７】
【特許文献１】特開２０１０−０１９５０３号公報
【特許文献２】特開２０１６−２０５６８８号公報
【発明の概要】
【発明が解決しようとする課題】
【０００８】
床吹き出し空調方式では、床下空間にケーブル等が配されているため、これらの障害物による圧力損失は避けられない。このため、空調機の出力を大きくして多量の冷却風を床下空間に供給したり、空調機から送出される冷却風の温度を低く設定したりして、情報処理機器に到達する時点で適切な温度や風量となるように調整する必要がある。しかも、冷却風は床面から吹き出させて空調空間に供給されるから、ラックに複数段設けられた棚板に載置されて収容されたそれぞれの情報処理機器に、均等に冷却風を供給することは難しい。
【０００９】
また、ダクト本体をラックの吸気面側の上方に配置させて開口部と風向板とを設ける構造では、ダクト本体の設置施工を要し、全てのラックに対応させて冷却風を供給するためには複数本のダクトを設置するため、設備コストが上昇してしまうおそれがある。しかも、ラックの上方から冷却風を供給することになるため、ラックに収容された情報処理機器に均等に冷却風を供給することは難しい。
【００１０】
処理を要する情報量の増加等に対応して情報処理機器の処理能力が向上すると、情報処理機器からの発熱量が増加し、ラック毎の総発熱量が増加する。処理能力の向上に伴われて床下空間に収容されるケーブルのサイズの変更や本数の増加により、床下空間における圧力損失がさらに大きくなって、空調機の出力をますます大きくする必要が生じるおそれがある。
また、ラックの吸気面側の上方にダクトを配置して冷却風を供給する構造では、ダクト内を冷却風が流れるため、情報処理機器の処理能力の向上に対応してダクトの本数を増加させたりする必要が生じるおそれがある。
【００１１】
このような問題に鑑みて、新設されるデータセンターの空調方式は、床吹き出し空調方式よりも壁吹き出し空調方式が多く採用される傾向にある。
床吹き出し空調方式が床面から空調空間を上方へ吹き出すのに対して、壁吹き出し空調方式は、空調空間内に空調機を配してその吹き出し口から空調空気を吹き出させたり、壁面に吹き出し口を配して空調空間に吹き出させたり、空調空気をラックが設置されている空調空間に壁面から水平方向へ冷却風を吹き出させるようにしたものである。
既設のデータセンターの空調空間の場合に壁吹き出し空調方式へ変更するものとして、壁面から冷却風が吹き出される壁チャンバー式の吹き出し空調方式が採用される場合がある。壁チャンバーは、ラックが設置されている空調空間と空調機が設置される機械室との間に壁部材によって区切られたチャンバー室が形成されたものである。空調機から吹き出される冷却風はチャンバー室に供給され、チャンバー室に貯留された冷却風は、壁部材に配された送気孔から空調空間に供給される。この送気孔の開口面積や個数を調整することにより、空調空間に適切な冷却風を供給することができる。したがって、この壁チャンバー空調方式は、既設のデータセンターであってもチャンバー室を設ける壁部材を設置することで採用することができる利点がある。
【００１２】
そこで、この発明は、壁吹き出し空調方式の場合に、ラックに収容された情報処理機器のそれぞれに均等に冷却風を供給できるようにして、空調機を効率よく運転できるようにしたデータセンターの空調の効率化構造を提供することを目的としている。
【課題を解決するための手段】
【００１３】
前記目的を達成するための技術的手段として、この発明に係るデータセンターの空調の効率化構造は、情報処理機器が収容されているラックを並列させてラック列が構成され、複数個のラック列が適宜な間隔を設けて配されて、隣接するラック列との間で、コールドアイルとホットアイルとが交互に形成され、前記コールドアイルに向けて前記情報処理機器の冷却に供する冷却風を吹出口から吹き出し、情報処理機器の冷却に供されてホットアイルに排出された戻り冷却風を吸込口から吸い込む空調機を備えたデータセンターの空調の効率化構造において、コールドアイルに臨んだそれぞれのラックの供給面に沿って流れる冷却風を捕捉して、ラック内へ案内する冷却風供給案内手段を備えていることを特徴としている。
【００１４】
空調機からコールドアイルに冷却風を吹き出して供給し、供給された冷却風を冷却風供給案内手段でラック内に案内して導き、情報処理機器を冷却するようにしたものである。
【００１５】
また、この発明に係るデータセンターの空調の効率化構造は、情報処理機器が収容されているラックを並列させてラック列が構成され、複数個のラック列が適宜な間隔を設けて配されて、隣接するラック列との間で、コールドアイルとホットアイルとが交互に形成され、前記コールドアイルに向けて前記情報処理機器の冷却に供する冷却風を吹出口から吹き出し、情報処理機器の冷却に供されてホットアイルに排出された戻り冷却風を吸込口から吸い込む空調機を備えたデータセンターの空調の効率化構造において、前記戻り冷却風を、前記空調機の吸込口に連通した戻り冷却風用送風路に案内する戻り冷却風排出案内手段を備えていることを特徴としている。
【００１６】
ラック内の情報処理機器の冷却に供された戻り冷却風を戻り冷却風排出案内手段で戻り冷却風用送風路に案内し、この戻り冷却風用送風路内を流通させて空調機の吸込口へ戻すようにしたものである。
【００１７】
また、この発明に係るデータセンターの空調の効率化構造は、情報処理機器が収容されているラックを並列させてラック列が構成され、複数個のラック列が適宜な間隔を設けて配されて、隣接するラック列との間で、コールドアイルとホットアイルとが交互に形成され、前記コールドアイルに向けて前記情報処理機器の冷却に供する冷却風を吹出口から吹き出し、情報処理機器の冷却に供されてホットアイルに排出された戻り冷却風を吸込口から吸い込む空調機を備えたデータセンターの空調の効率化構造において、コールドアイルに臨んだそれぞれのラックの供給面に沿って流れる冷却風を捕捉して、ラック内へ案内する冷却風供給案内手段と、前記戻り冷却風を、前記空調機の吸込口に連通した戻り冷却風用送風路に案内する戻り冷却風排出案内手段とを、備えていることを特徴としている。
【００１８】
冷却風を冷却風供給案内手段でラック内に導き、冷却に供された戻り冷却風を戻り冷却風排出案内手段で、空調機の吸込側に連なる戻り冷却風用送風路へ導くようにしたものである。
【００１９】
また、上述の発明に係るデータセンターの空調の効率化構造において、前記冷却風供給案内手段は、それぞれのラックの供給面に設置された供給面側扉体の端部であって、冷却風の流れ方向の下流側となる側の端部に取り付けられた供給案内板からなるものとしてある。
【００２０】
データセンターに設置されるラックは直方体で、ラックの内部は、複数台の情報処理機器を載置するための棚板等によって区画されている。また、収容される情報処理機器の設置や調整、補修等を容易に行えるよう、供給面とこの供給面に対向した排出面のそれぞれには開閉可能な扉体が設けられている。また、このラックには、コールドアイルに臨んだ供給面側から冷却風が供給され、ホットアイルに臨んだ排出面側から戻り冷却風が排出される。供給面側扉体と排出面側扉体のそれぞれの扉板は、多数の透孔が形成された多孔板によって形成されており、冷却風はこの透孔を通ってラックに供給され、排出されるようにしてある。
そこで、冷却風案内手段には、供給面に設けられた供給面側扉体の透孔を通過するよう冷却風を案内することが要求される。このため、ラックの供給面に沿って流れる冷却風が衝突して流れ方向をラックの内部に導かれるよう変更させる供給案内板を供給面側扉体に設けたものである。
【００２１】
また、上述の発明に係るデータセンターの空調の効率化構造において、前記供給案内板は、冷却風の流れ方向と交差する方向を軸として揺動自在に支持されていることが好ましい。
【００２２】
供給案内板の供給面側扉体に対する角度を調整可能として、ラック内に導く冷却風の風向を調整できるようにしたものである。
【００２３】
また、上述の発明に係るデータセンターの空調の効率化構造において、前記供給案内板のラックの供給面側扉体からの突出量を、前記空調機からの距離に応じて異ならせることができる。
【００２４】
空調機から吹き出される冷却風の速度は、空調機からの距離が大きくなるに応じて小さくなる。このため、空調機から近い距離にあるラックに配された供給案内板に対して遠い距離にあるラックに配された供給案内板を大きくして、冷却風を捕捉できる範囲を大きくしたものである。
【００２５】
また、上述の発明に係るデータセンターの空調の効率化構造において、前記戻り冷却風用送風路をラックの上方に配し、前記戻り冷却風排出案内手段は、ラックに収容されたそれぞれの情報処理機器に対応させて、ラックの前記供給面に対向した排出面に設置された排出面側扉体に取り付けられた排出案内板からなるものとしてある。
【００２６】
戻り冷却風用送風路をラックの上方、すなわち、データセンターの天井部に設け、ラックから排出される戻り冷却風の流れ方向を排出案内板によって上方向へ、すなわち戻し冷却風用送風路へ案内するようにしたものである。
【００２７】
また、上述の発明に係るデータセンターの空調の効率化構造において、前記排出案内板がラックの内部に配されている構造とすることができる。
【００２８】
また、上述の発明に係るデータセンターの空調の効率化構造において、前記排出案内板がラックの外部に配されている構造とすることができる。
【００２９】
前記排出案内板の配置は、ラックの内部と外部のいずれの側であっても構わない。
【００３０】
また、上述の発明に係るデータセンターの空調の効率化構造において、前記ホットアイルを臨んで対向したラックの排出面の間の中央部にラック列に沿ってホットアイルカーテンを設置して、対向した排出面から排出される戻り冷却風を該ホットアイルカーテンで前記戻り冷却風用送風路に案内させることが好ましい。
【００３１】
ラックの一部に情報処理機器が収容されていない空間部がある場合、この空間部の排出側の面と対向した排出面から排出された戻り冷却風がこの空間部に侵入するおそれがあり、さらに、侵入した戻り冷却風がコールドアイル側に排出されてしまうおそれがある。コールドアイルに侵入してしまうと、冷却風の温度を上昇させてしまい、冷却効率を低下させてしまうおそれがある。このため、ホットアイルカーテンを設けて、空間部に戻り冷却風が侵入してしまわないようにしたものである。
【発明の効果】
【００３２】
この発明に係るデータセンターの空調の効率化構造によれば、空調機から吹き出された冷却風は空調空間のコールドアイルに供給されて、障害物等の影響を受けることなく安定してラックに到達する。ラックに到達した冷却風は冷却風供給案内手段によってラックの内部に導かれるから、冷却風をラック内に収容された情報処理機器の冷却に確実に供することができる。
【００３３】
また、ラック内の情報処理機器の冷却に供された冷却風は戻り冷却風として排出面から排出される際に、戻り冷却風排出案内手段に案内されて戻り冷却風用送風路に導かれて、空調機に戻される。このため、ホットアイルを挟んで対向している排出面同士から排出される戻り冷却風が衝突したりせずに、互いに干渉し合うことを緩和できる。
なお、空調機では吸込口で吸引されており、この吸込口に戻り冷却風用送風路が連通しているから、戻り冷却風用送風路に導かれた戻り冷却風は吸引されて空調機へ戻される。
また、戻り冷却風用送風路に送風ファンを設け、送風ファンの吸込側をラック側に、吐出側を空調機側にして配することもできる。
【図面の簡単な説明】
【００３４】
【図１】この発明に係るデータセンターの空調の効率化構造を説明する図であり、ラック列を示す概略の斜視図である。
【図２】この発明に係るデータセンターの空調の効率化構造を説明する図であり、データセンターの概略の平面図である。
【図３】この発明に係るデータセンターの空調の効率化構造を説明する好ましい一の実施例を示す図であり、データセンターの概略の正面図である。
【図４】この発明に係るデータセンターの空調の効率化構造を説明する好ましい他の実施例を示す図であり、データセンターの概略の正面図である。
【発明を実施するための形態】
【００３５】
以下、図示した好ましい実施の形態に基づいて、この発明に係るデータセンターの空調の効率化構造を具体的に説明する。
【００３６】
図２に示すように、データセンター１には、多数のラック２が並列して形成されたラック列２０が、複数列配されている。ラック２は、図１に示すように、ほぼ直方体で、前面には開き戸による供給面側扉体２ａが開閉可能に設けられている。また、後面にも開き戸による排出面側扉体２ｂが開閉可能に設けられている。これら供給面側扉体２ａと排出面側扉体２ｂとの扉板には、多数の透孔が形成されている多孔板が用いられている。
ラック列２０を形成するそれぞれのラック２は供給面側扉体２ａが同じ方向に向く状態に並列させてあり、この供給面側扉体２ａが並んだ側を供給側として供給面２０ａとされ、排出面側扉体２ｂが並んだ側を排出側として排出面２０ｂとされている。また、供給面側扉体２ａの開閉の方向は、同じ方向を向いた供給面側扉体２ａについては同一とすることが好ましい。同様に、排出面側扉体２ｂの開閉方向についても、同じ方向を向いた排出面側扉体２ｂについては同一とすることが好ましい。
また、ラック２の内部には、複数台の情報処理機器が収納されるように、取り付け位置が変更可能な図示しない棚板が配置されており、この棚板に載置されて情報処理機器が収容される。
ラック２に収容された状態で情報処理機器に冷却風が供給されるが、この実施形態では、冷却風は、ラック列２０の供給面２０ａ側から供給されて、排出面２０ｂ側に排出されるようにしてある。
【００３７】
隣接している一対のラック列２０は、供給面２０ａ同士が対向した状態に配設されて、供給面２０ａが臨む空間をコールドアイルＣＡとしてある。このため、この一対のラック列２０の一方のラック列２０の排出面２０ｂは、隣接するラック列２０の排出面２０ｂと対向し、この対向した排出面２０ｂ同士が臨む空間をホットアイルＨＡとしてある。すなわち、ラック列２０によって、隣接するラック列２０との間で、コールドアイルＣＡとホットアイルＨＡとが交互に設けられる。図２に示すように、コールドアイルＣＡを臨んで空調機４が設置されており、この空調機４の吹出口から吹き出される冷却風がコールドアイルＣＡに供給されるようにしてある。
【００３８】
ホットアイルＨＡは、図２に示すように、ラック列２０の端部のそれぞれに区画用シート３が配されている。ホットアイルＨＡの上方には、図３と図４に示すように、戻り冷却風用送風路５が配されており、ホットアイルＨＡはこの戻り冷却風用送風路５に連通させてある。なお、区画用シート３には、帯電防止性と防炎性を備えた素材が用いられている。
【００３９】
それぞれのラック２の供給面２０ａには、冷却風供給案内手段としての供給案内板６ａが設けられている。この供給案内板６ａは、図示しない棚板に載置された情報処理機器のそれぞれに配されるように設けられていることが好ましい。また、供給案内板６ａは、それぞれのラック２の供給面２０ａの端部であって、コールドアイルＣＡに空調機４から吹き出される冷却風の流れ方向の下流側の端部に設けられている。供給案内板６ａは、ラック２の供給面２０ａの端部に、冷却風の流れ方向と交差する方向、例えば鉛直方向を軸として揺動自在に支持されており、任意の角度まで揺動させて傾いた状態を維持できるようにしてある。また、供給面２０ａに沿って流れる冷却風が供給案内板６ａに衝突すると、流れの方向がラック２内に向かう方向に変更されるようにしてある。すなわち、図２においては、空調機４から吹き出された冷却風は矢標Ｐで示す方向に流れる。この流れ方向Ｐに対して、先端が流れ方向Ｐの上流側となるように供給案内板６ａを傾けてある。
【００４０】
また、図２に示すように、空調機４に近い位置にある供給案内板６ａと遠い位置にある供給案内板６ａとで大きさを異ならせても構わない。空調機４から近い位置では風速が大きいため、幅の小さな供給案内板６ａであってもラック２内の冷却に必要とされる冷却風を容易に捕捉してラック２内に案内できるが、遠い位置では風速が小さくなるため、供給案内板６ａの幅を大きくして確実に冷却風を捕捉できるようにする。また、供給案内板６ａの大きさの変更は、前記空調機からの距離に応じて異ならせることができる。この場合、空調機４に近い側から遠い側に向かって順次大きくしても構わず、また、近い側から適宜な位置までに配された複数の供給案内板６ａを等しい幅のものとし、それよりも遠い側にある供給案内板６ａを幅広のものとする等、適宜な幅の供給案内板６ａを配する。
さらに、供給案内板６ａの供給面側扉体２ａとの間の角度を変更して、供給案内板６ａの供給側扉体２ａからの突出量を異ならせ、冷却風Ａｃを受ける範囲を異ならせて、この供給案内板６ａで補足する冷却風Ａｃの量を調整することもできる。
【００４１】
供給案内板６ａは、帯電防止性と防炎性を備えた板材によって製作することが好ましい。また、供給面側扉体２ａの透孔を利用して、ラック２に対して着脱自在に取り付けられる構造とすることにより、既設のラック２にも取り付けることができる。
【００４２】
それぞれのラック２の排出面２０ｂには、戻り冷却風排出案内手段としての排出案内板７ａが設けられている。この排出案内板７ａは、ラック２内の情報処理機器の冷却に供されて排出面２０ｂから排出される戻り冷却風を上方の戻り冷却風用送風路５に案内するように、先端部が上側となった傾斜板を備えている。
この排出案内板７ａは、図３に示すようにラック２の内部に設けることや、図４に示すようにラック２の外部に設けることができる。なお、図１と図２に示す排出案内板７ａは、ラック２の外部に設けてある。さらに、内部と外部のそれぞれに設けて、内外部の排出案内板７ａを連続させる構造とすることもできる。
【００４３】
ラック２の内部にのみ設ける場合には、ラック２の排出面２０ｂからホットアイルＨＡに突出する部分がないため、ホットアイルＨＡ内で行う作業の際に支障となるものがない。一方、ラック２の外部に設けられる排出案内板７ａは、前記傾斜坂の角度の調整を行えるようにすることが好ましく、戻り冷却風を確実に戻り冷却風用送風路５に案内できるよう容易に調整することができる。
また、戻り冷却風用送風路５は空調機４の吸込口に連通しており、空調機４の動作によって戻り冷却風用送風路５内には吸引力が働いている。このため、排出案内板７ａによって案内されながら排出されたホットアイルＨＡ内の戻り冷却風は、戻り冷却風用送風路５内に確実に吸引される。
【００４４】
排出案内板７ａは、帯電防止性と防炎性を備えた板材によって製作することが好ましい。また、ラック２の内外のいずれの側に配する場合にも、例えば、排出面側扉体２ｂに用いられている多孔板の透孔を利用する取付構造として、ラック２内の棚板の位置に応じて取り付け位置を調整できるようにすることが好ましい。排出面側扉体２ｂの透孔を利用して着脱自在とすることにより、既設のラック２にも取り付けることができる。
【００４５】
また、図２と図４に示すように、ホットアイルＨＡの中央にラック列２０に沿って、ホットアイルカーテン８を設けることが好ましい。このホットアイルカーテン８は、対向している排出面２０ｂの間に配されて、対向している排出面２０ｂのそれぞれから排出される戻り冷却風Ａｈが反対側の排出面２０ｂに到達することを防止している。
なお、このホットアイルカーテン８には帯電防止性と防炎性とを備えた材料が用いられ、板状またはシート状に形成することができる。
【００４６】
以上により構成されたこの発明に係るデータセンターの空調の効率化構造について、その作用を以下に説明する。
【００４７】
空調機４の吹出口からは、図２上矢標Ｐで示す方向へ冷却風が吹き出されて、コールドアイルＣＡへ供給される。コールドアイルＣＡへ供給された冷却風Ａｃは、供給面２０ａに沿って流れ、供給面２０ａに設けられた供給案内板６ａに捕捉されて、ラック２内に案内される。ラック２内に収容された情報処理機器は冷却風Ａｃによって冷却されて、安定した動作を継続する。
【００４８】
情報処理機器の冷却に供された冷却風Ａｃは温度が上昇して、排出面２０ｂから戻り冷却風Ａｈとなって排出される。排出された戻り冷却風Ａｈは排出案内板７ａに案内されて、ホットアイルＨＡ内へ排出される。このとき、排出案内板７ａによって戻り冷却風Ａｈは上方へ案内されて、ホットアイルＨＡ内を上昇し易くなる。ホットアイルＨＡの上方には戻り冷却風用送風路５が連通させてあり、この戻り冷却風用送風路５の内部には、空調機４の吸込口に接続されていることによる吸引力が作用しているから、戻り冷却風Ａｈは円滑に戻り冷却風用送風路５に案内される。そして、戻り冷却風Ａｈは戻り冷却風用送風路５を通って空調機４に戻され、冷却されて調整された後、吹出口から吹き出される。
【００４９】
空調機４からコールドアイルＣＡに吹き出された冷却風Ａｃは、空調機４からの距離が大きくなるほど風速が小さくなり、空調機４から離れた位置にあるラック２には冷却風Ａｃが届きにくくなってしまうおそれがある。そのため、空調機４から吹き出される冷却風Ａｃの風速を大きくして、遠方のラック２にも冷却風Ａｃが届くようにする。風速が大きくなると、空調機４に近いラック２を素通りしてしまうおそれがあるが、供給案内板６ａによって捕捉されるから、ラック２内に確実に案内される。したがって、空調機４からは、遠くのラック２に到達できる風速で冷却風Ａｃを吹き出す。
【００５０】
また、空調機４の近くのラック２では風速が大きいため、供給面２０ａからの突出量が小さく、幅の小さな供給案内板６ａであっても確実に多量の冷却風Ａｃを捕捉してラック２内に案内できる。空調機４から遠くのラック２では風速が小さくなるが、突出量が大きい、幅の大きな供給案内板６ａとすることにより、捕捉できる面積が大きくなって、捕捉できる冷却風Ａｃの風量が大きくなりラック２内に多量の冷却風Ａｃを案内できて、ラック２内の情報処理機器の冷却を確実に行える。このように、空調機４からの距離に応じて幅の異なる供給案内板６ａを用いて、効率的にラック２内に冷却風Ａｃを案内することができる。
また、供給面２０ａからの突出量は、供給案内板６ａの供給面側扉体２ａに対する角度を変更させて、異ならせることもできる。
なお、冷却風Ａｃは供給面側扉体２ａに形成されている多数の透孔を通ってラック２内に供給される。
【００５１】
また、情報処理機器が収容されていない空のラック２については、冷却風Ａｃを導入する必要がないので、供給案内板６ａを設けないか、あるいは、揺動自在に支持する図示しない揺動軸を中心として揺動させて供給面２０ａから突出しない状態とする。さらに、供給面側扉体２ａの透孔を閉鎖する状態に、遮蔽シート（図示せず）等を被せることで、空のラック２に冷却風が侵入することを防止することも好ましい。なお、図示しない遮蔽シートには少なくとも帯電防止性を備えた素材を用いることが好ましい。
【００５２】
情報処理機器の冷却に供されて排出面２０ｂから排出される戻り冷却風Ａｈは、排出面側扉体２ｂに形成されている多数の透孔を通ってホットアイルＨＡに排出される際、排出案内板７ａに案内されて戻り冷却風用送風路５に導かれる。この排出案内板７ａが、図３に示すように、ラック２の内部に設けられている場合には、戻り冷却風Ａｈは排出案内板７ａに案内され、排出面側扉体２ｂに形成された多数の透孔を通ってラック２の外部に案内されてホットアイルＨＡに排出される。このとき、排出案内板７ａは傾斜板で形成されているから戻り冷却風Ａｈは上方に案内されて、排出面側扉体２ｂの外側面に沿って上昇して戻り冷却風用送風路５に導かれる。
また、排出案内板７ａが、図４に示すように、ラック２の外部に設けられている場合には、戻り冷却風Ａｈは排出面側扉体２ｂの多数の透孔を通ってラック２から排出され、排出案内板７ａに案内されてホットアイルＨＡ内を上方に案内されて戻り冷却風用送風路５に導かれることになる。
さらに、ラック２の内部と外部に連続して排出案内板７ａが設けられている場合には、戻り冷却風Ａｈは戻り冷却風用送風路５に確実に導かれる。
【００５３】
ところで、ラック２は全ての棚板に情報処理機器が載置されているものではなく、空の棚板が存在している。この空の棚板は、後日には情報処理機器が増設されることにより埋められる場合がある。空の棚板が存在すると、この空の棚板の空間部を介して、コールドアイルＣＡとホットアイルＨＡとが障害物のない状態で連通する。ホットアイルＨＡでは排出面２０ｂ同士が対向しているから、向かい側の排出面２０ｂから排出された戻り冷却風Ａｈがこの空間部に侵入し、さらにコールドアイルＣＡ側に流れ出るおそれがある。
データセンターの空調の効率化にとっては、ホットアイルＨＡ内の戻り冷却風ＡｈがコールドアイルＣＡ内に侵入して冷却風Ａｃと混合しては、冷却風Ａｃの温度を上昇させてしまい不都合である。そこで、戻り冷却風Ａｈが前記空間部に侵入することがないようにする必要がある。
このため、図２と図４に示すように、ホットアイルカーテン８を設置し、このホットアイルカーテン８によって、戻り冷却風Ａｈが前記空間部へ侵入することが防止されるようにしてある。また、ラック２から排出された戻り冷却風Ａｈは排出案内板７ａに案内されて、斜め下方からこのホットアイルカーテン８に衝突する。その後、戻り冷却風Ａｈはこのホットアイルカーテン８に案内されて上昇し、戻り冷却風用送風路５に導かれて、空調機４に戻されることになる。
【００５４】
なお、戻り冷却風用送風路５の内部には空調機４の吸引力が作用して、戻り冷却風Ａｈを吸引しているが、さらに強力に吸引することができて、迅速に空調機４に戻せるように、戻り冷却風用送風路５内に送風機等を設けることもできる。しかも、この吸引力はホットアイルＨＡを介してラック２内にも作用するから、冷却風Ａｃにも吸引力が働き、ラック２内の情報処理機器の冷却を促進できる。
【００５５】
この実施形態では、空調空間への冷却風Ａｃの供給を、コールドアイルＣＡに臨んで設置した空調機４によって行わせている。このため、冷却風Ａｃはフリーアクセスフロアの床下空間へ供給されないから、この床下空間に各種のケーブルを配しても空調効率へ影響を与えない。また、ラック２やラック列２０の側面部や上面部等に沿ってラダーを配し、各種のケーブルをこのラダーによって案内させるラダーシステムを利用することもできる。
【００５６】
また、この実施形態では、空調機４は空調空間に配したものとして説明したが、空調空間の壁面に配された吹き出し口から吹き出させたり、天井吊りの空調機の吹き出し口から吹き出させたり、冷却風Ａｃを水平方向からコールドアイルＣＡに吹き出す壁吹き出し空調方式を採用することができる。
また、壁チャンバー式の吹き出し空調方式を採用して、チャンバー室と空調空間とを仕切る壁部材に形成された送気孔からコールドアイルＣＡに向けて冷却風Ａｃを送るようにしても構わない。壁チャンバー式の吹き出し空調方式を採用する場合には、例えば空のラック２が並んだラック列２０に臨んだ送気孔を閉塞させることで、無駄に冷却風Ａｃを吹き出させることがなく、より効率よく空調機４を運転させることができて、空調空間の空調効率の向上を図ることができる。
【００５７】
この発明に係るデータセンターの空調の効率化構造によれば、壁吹出し空調方式とした場合の冷却風を確実にラック内の情報処理機器に導入することができて、効率よく冷却できるので、空調機から過剰な風量や低温の冷却風を吹き出す必要がなく、空調機の運転効率を適正にして良好な空調を行うことに寄与する。
【符号の説明】
【００５８】
１  データセンター
２  ラック
２ａ  供給面側扉体
２ｂ  排出面側扉体
３  区画用シート
４  空調機
５  戻り冷却風用送風路
６ａ  供給案内板
７ａ  排出案内板
８  ホットアイルカーテン
２０  ラック列
２０ａ  供給面
２０ｂ  排出面
Ａｃ  冷却風
Ａｈ  戻り冷却風
ＣＡ  コールドアイル
ＨＡ  ホットアイル
【図１】
2020087080.tif 000003
【図２】
2020087080.tif 000004
【図３】
2020087080.tif 000005
【図４】
2020087080.tif 000006